(57)【要約】【課題】リモコンなどの操作スペースの限られた操作入力装置からテレビなどの表示装置に対して、文字情報などの入力操作を効率的に行えるようにする。【解決手段】操作入力装置１０は、複数の領域に分割され且つ各領域に選択候補となる情報が割り当てられたタッチパッド１１、タッチパッド１１上で指１が触れた位置を始点として認識する始点認識手段１２ａ、認識した始点からの指１の移動方向及び移動量を検出する移動方向／移動量検出手段１２ｂ、指１がタッチパッド１１から離れたときの位置を終点として検出する終点検出手段１２ｃを備える。表示装置２０は、移動方向／移動量検出手段１２ｂにより検出される指１の移動方向及び移動量に応じて、前記始点を含む領域に割り当てられている選択候補を変化させて画面に表示する表示制御手段２２、前記終点が検出されたときに前記画面上で選択状態にある選択候補の入力を確定する入力確定手段２６を備える。【選択図】図１
2007066031.tif 000002
【特許請求の範囲】
【請求項１】
複数の領域に分割され且つ各領域に選択候補となる情報が割り当てられたタッチパッドを備える操作入力装置と、該操作入力装置から情報が入力される表示装置とを備えた情報入力システムにおいて、前記操作入力装置は、前記タッチパッド上で入力手段が触れた位置を始点として認識する始点認識手段と、該認識した始点からの前記入力手段の移動方向及び移動量を検出する移動方向／移動量検出手段と、前記入力手段が前記タッチパッドから離れたときの位置を終点として検出する終点検出手段とを備え、前記表示装置は、前記移動方向／移動量検出手段により検出される前記入力手段の移動方向及び移動量に応じて、前記始点を含む領域に割り当てられている選択候補を変化させて画面に表示する表示制御手段と、前記終点が検出されたときに前記画面上で選択状態にある選択候補の入力を確定する入力確定手段とを備えていることを特徴とする情報入力システム。
【請求項２】
請求項１に記載の情報入力システムにおいて、前記表示制御手段は、前記始点を含む領域に割り当てられている複数の選択候補をリスト化して表示すると共に、前記移動方向／移動量検出手段により検出される前記入力手段の移動方向及び移動量に応じて、選択状態にある選択候補を前記リスト上で識別可能に表示することを特徴とする情報入力システム。
【請求項３】
請求項２に記載の情報入力システムにおいて、前記表示制御手段は、前記始点を含む領域に割り当てられている複数の選択候補をリスト化して表示する際に、入力処理を取り消すための項目を前記複数の選択候補に含めて表示することを特徴とする情報入力システム。
【請求項４】
請求項３に記載の情報入力システムにおいて、前記表示制御手段は、前記入力手段が前記始点を含む領域に触れたときに、前記入力処理を取り消すための項目を選択状態にして前記リストを表示することを特徴とする情報入力システム。
【請求項５】
請求項１乃至４のいずれか１に記載の情報入力システムにおいて、前記表示制御手段は、前記タッチパッドに設けられた各領域の配置に応じて、該各領域に割り当てられている選択候補の表示順序を変化させることを特徴とする情報入力システム。
【請求項６】
請求項５に記載の情報入力システムにおいて、前記タッチパッドは、該タッチパッドに設けられた各領域の配置に応じて、前記入力手段の移動方向を変化させることを特徴とする情報入力システム。
【請求項７】
請求項１乃至４のいずれか１に記載の情報入力システムにおいて、前記表示制御手段は、前記始点を含む領域に割り当てられている選択候補が所定数以上の場合、該選択候補をマトリクス状に配置して表示することを特徴とする情報入力システム。
【請求項８】
請求項７に記載の情報入力システムにおいて、前記表示制御手段は、前記選択候補をマトリクス状に配置したページが複数ある場合、該複数ページの各ページを切り替えるためのページ切替キーを選択可能に表示し、該ページ切替キーが選択状態になってから一定期間経過したときに、ページを切り替えることを特徴とする情報入力システム。
【請求項９】
請求項２乃至４のいずれか１に記載の情報入力システムにおいて、前記タッチパッドは、前記リストに含まれる複数の選択候補をスクロール表示させるためのスクロール領域を備え、前記表示制御手段は、前記スクロール領域に前記入力手段が触れている間、前記リストの複数の選択候補をスクロールしながら表示することを特徴とする情報入力システム。
【請求項１０】
請求項２乃至４のいずれか１に記載の情報入力システムにおいて、前記表示制御手段は、前記リストに含まれる複数の選択候補をスクロール表示させるためのスクロールキーを表示可能とし、前記タッチパッドからの操作に従って、前記スクロールキーが選択状態にある間、前記リストの複数の選択候補をスクロールしながら表示することを特徴とする情報入力システム。
【請求項１１】
請求項１乃至１０のいずれか１に記載の情報入力システムにおいて、前記タッチパッドに設けられた各領域に対して、少なくとも１つの文字種からなる文字情報が割り当てられていることを特徴とする情報入力システム。
【請求項１２】
請求項１乃至１０のいずれか１に記載の情報入力システムにおいて、前記タッチパッドに設けられた各領域に対して、前記表示装置に関する機能設定情報が割り当てられていることを特徴とする情報入力システム。
【請求項１３】
請求項１乃至１０のいずれか１に記載の情報入力システムにおいて、前記表示装置は、放送信号を受信するための複数の異なるチューナを備え、前記タッチパッドに設けられた所定の領域それぞれに対して、前記チューナ毎の選局情報が割り当てられていることを特徴とする情報入力システム。
【請求項１４】
請求項１乃至１０のいずれか１に記載の情報入力システムにおいて、前記表示装置は、テレジョン放送信号を受信するチューナを備え、前記タッチパッドに設けられた各領域に対して、複数のチャンネル情報が割り当てられていることを特徴とする情報入力システム。
【請求項１５】
請求項１乃至１０のいずれか１に記載の情報入力システムにおいて、前記タッチパッドに設けられた複数の領域のうちのいずれか１つに対して、０〜９の数字情報が割り当てられていることを特徴とする情報入力システム。
【請求項１６】
請求項１に記載の情報入力システムにおいて、前記入力手段は、操作者の指あるいはペンであることを特徴とする情報入力システム。
【請求項１７】
請求項１に記載の情報入力システムにおいて、前記操作入力装置は、前記始点及び／又は前記終点の入力の確定をクリック操作により実行するためのクリックボタンを備え、前記入力確定手段は、前記クリックボタンによりクリック操作されたときに前記始点及び／又は前記終点の入力を確定することを特徴とする情報入力システム。
【請求項１８】
請求項１に記載の情報入力システムにおいて、前記タッチパッドは、前記始点及び／又は前記終点の入力の確定をクリック操作により実行するためのクリック領域を備え、前記入力確定手段は、前記クリック領域によりクリック操作されたときに前記始点及び／又は前記終点の入力を確定することを特徴とする情報入力システム。
【発明の詳細な説明】
【技術分野】
【０００１】
本発明は、情報入力システム、より詳細には、タッチパッドを備えた操作入力装置からテレビなどの表示装置に文字情報などの各種情報を入力するための情報入力システムに関する。
【背景技術】
【０００２】
従来、テレビジョン放送受信装置などのＡＶ機器を遠隔操作するためのリモートコントロール装置（以下、リモコンという）などにおいては、限られた操作スペースで文字入力等を行うために、限られた操作入力ボタンのそれぞれに、複数の文字を割り当てて、マルチタップで任意の文字を呼び出すか、複数の操作入力ボタンの組み合わせによって任意の文字を特定するように構成されている。
【０００３】
このため、操作者は操作入力ボタンの押し下げ、解放操作を何度も繰り返し行うか、複雑なボタンの組み合わせを理解して操作する必要があった。また、マルチタップによる操作では、ボタンの操作が過多になり、意図する文字を選択し損なうという問題が発生しがちだが、この場合、もう一度意図する文字が出現するまで繰り返しボタン操作を行うなどの操作が必要となり、入力効率が悪くなる要因にもなっていた。
【０００４】
これに対して、特許文献１には、限られた面積を使用して多種類の文字を簡単に入力できるようにした文字入力装置が開示されている。これは、タッチパッドと画面上に表示された仮想キーボードによる文字入力を行うものである。例えば、蜂の巣状にキーを配置した仮想キーボードを画面上に表示し、タッチパッド上で指を滑らせると、仮想キーボード上の選択状態にあるキーが移動し、タッチパッドから指を離した時点で選択状態であったキーが打鍵されたキーとなる。
【特許文献１】特開２００３−１９６００７号公報
【発明の開示】
【発明が解決しようとする課題】
【０００５】
上記特許文献１に記載の文字入力装置は、仮想キーボードを画面に表示させ、タッチパッド上で指を滑らせ、所望のキーの上で指を離すことで、キーに応じた文字を入力することができるように構成されている。
【０００６】
しかしながら、上記構成では、選択候補となる複数の文字を仮想キーボード中に割り当てておく必要があり、多くの文字を仮想キーボードに割り当てて表示させるためには、ある程度画面の面積が必要となる。また、仮想キーボードに多くの文字を割り当てて限られた面積に表示させると、文字の表示サイズが小さくなってしまうだけではなく、仮想キーボードのどの位置にどの文字が割り当てられているかが直感的にわかりにくいという問題がある。
【０００７】
本発明は、上述のごとき実情に鑑みてなされたものであり、リモコンなどの操作スペースの限られた操作入力装置からテレビなどの表示装置に対して、文字情報などの入力操作を効率的に行えるようにすること、
より具体的には、複数の領域に分割され且つ各領域に選択候補となる文字情報などの情報が割り当てられたタッチパッドを備える操作入力装置と、該操作入力装置から情報が入力される表示装置とを備えた情報入力システムにおいて、タッチパッド上で入力手段（操作者の指など）が触れた位置を始点とし、始点からの入力手段の移動方向及び移動量に応じて、始点を含む領域に割り当てられている選択候補を表示装置に表示させて所望の情報を入力できるようにすること、を目的とする。
【課題を解決するための手段】
【０００８】
上記課題を解決するために、本発明の第１の技術手段は、複数の領域に分割され且つ各領域に選択候補となる情報が割り当てられたタッチパッドを備える操作入力装置と、該操作入力装置から情報が入力される表示装置とを備えた情報入力システムにおいて、前記操作入力装置は、前記タッチパッド上で入力手段が触れた位置を始点として認識する始点認識手段と、該認識した始点からの前記入力手段の移動方向及び移動量を検出する移動方向／移動量検出手段と、前記入力手段が前記タッチパッドから離れたときの位置を終点として検出する終点検出手段とを備え、前記表示装置は、前記移動方向／移動量検出手段により検出される前記入力手段の移動方向及び移動量に応じて、前記始点を含む領域に割り当てられている選択候補を変化させて画面に表示する表示制御手段と、前記終点が検出されたときに前記画面上で選択状態にある選択候補の入力を確定する入力確定手段とを備えていることを特徴としたものである。
【０００９】
第２の技術手段は、第１の技術手段において、前記表示制御手段は、前記始点を含む領域に割り当てられている複数の選択候補をリスト化して表示すると共に、前記移動方向／移動量検出手段により検出される前記入力手段の移動方向及び移動量に応じて、選択状態にある選択候補を前記リスト上で識別可能に表示することを特徴としたものである。
【００１０】
第３の技術手段は、第２の技術手段において、前記表示制御手段は、前記始点を含む領域に割り当てられている複数の選択候補をリスト化して表示する際に、入力処理を取り消すための項目を前記複数の選択候補に含めて表示することを特徴としたものである。
【００１１】
第４の技術手段は、第３の技術手段において、前記表示制御手段は、前記入力手段が前記始点を含む領域に触れたときに、前記入力処理を取り消すための項目を選択状態にして前記リストを表示することを特徴としたものである。
【００１２】
第５の技術手段は、第１乃至第４のいずれか１の技術手段において、前記表示制御手段は、前記タッチパッドに設けられた各領域の配置に応じて、該各領域に割り当てられている選択候補の表示順序を変化させることを特徴としたものである。
【００１３】
第６の技術手段は、第５の技術手段において、前記タッチパッドは、該タッチパッドに設けられた各領域の配置に応じて、前記入力手段の移動方向を変化させることを特徴としたものである。
【００１４】
第７の技術手段は、第１乃至第４のいずれか１の技術手段において、前記表示制御手段は、前記始点を含む領域に割り当てられている選択候補が所定数以上の場合、該選択候補をマトリクス状に配置して表示することを特徴としたものである。
【００１５】
第８の技術手段は、第７の技術手段において、前記表示制御手段は、前記選択候補をマトリクス状に配置したページが複数ある場合、該複数ページの各ページを切り替えるためのページ切替キーを選択可能に表示し、該ページ切替キーが選択状態になってから一定期間経過したときに、ページを切り替えることを特徴としたものである。
【００１６】
第９の技術手段は、第２乃至第４のいずれか１の技術手段において、前記タッチパッドは、前記リストに含まれる複数の選択候補をスクロール表示させるためのスクロール領域を備え、前記表示制御手段は、前記スクロール領域に前記入力手段が触れている間、前記リストの複数の選択候補をスクロールしながら表示することを特徴としたものである。
【００１７】
第１０の技術手段は、第２乃至第４のいずれか１の技術手段において、前記表示制御手段は、前記リストに含まれる複数の選択候補をスクロール表示させるためのスクロールキーを表示可能とし、前記タッチパッドからの操作に従って、前記スクロールキーが選択状態にある間、前記リストの複数の選択候補をスクロールしながら表示することを特徴としたものである。
【００１８】
第１１の技術手段は、第１乃至第１０のいずれか１の技術手段において、前記タッチパッドに設けられた各領域に対して、少なくとも１つの文字種からなる文字情報が割り当てられていることを特徴としたものである。
【００１９】
第１２の技術手段は、第１乃至第１０のいずれか１の技術手段において、前記タッチパッドに設けられた各領域に対して、前記表示装置に関する機能設定情報が割り当てられていることを特徴としたものである。
【００２０】
第１３の技術手段は、第１乃至第１０のいずれか１の技術手段において、前記表示装置は、放送信号を受信するための複数の異なるチューナを備え、前記タッチパッドに設けられた所定の領域それぞれに対して、前記チューナ毎の選局情報が割り当てられていることを特徴とする情報入力システム。
【００２１】
第１４の技術手段は、第１乃至第１０のいずれか１の技術手段において、前記表示装置は、テレビジョン放送信号を受信するチューナを備え、前記タッチパッドに設けられた各領域に対して、複数のチャンネル情報が割り当てられていることを特徴としたものである。
【００２２】
第１５の技術手段は、第１乃至第１０のいずれか１の技術手段において、前記タッチパッドに設けられた複数の領域のうちのいずれか１つに対して、０〜９の数字情報が割り当てられていることを特徴としたものである。
【００２３】
第１６の技術手段は、第１の技術手段において、前記入力手段は、操作者の指あるいはペンであることを特徴としたものである。
【００２４】
第１７の技術手段は、第１の技術手段において、前記操作入力装置は、前記始点及び／又は前記終点の入力の確定をクリック操作により実行するためのクリックボタンを備え、前記入力確定手段は、前記クリックボタンによりクリック操作されたときに前記始点及び／又は前記終点の入力を確定することを特徴としたものである。
【００２５】
第１８の技術手段は、第１の技術手段において、前記タッチパッドは、前記始点及び／又は前記終点の入力の確定をクリック操作により実行するためのクリック領域を備え、前記入力確定手段は、前記クリック領域によりクリック操作されたときに前記始点及び／又は前記終点の入力を確定することを特徴としたものである。
【発明の効果】
【００２６】
本発明によれば、複数の領域に分割され且つ各領域に選択候補となる文字情報などの情報が割り当てられたタッチパッドを備える操作入力装置と、該操作入力装置から情報が入力される表示装置とを備えた情報入力システムにおいて、タッチパッド上で入力手段（操作者の指など）が触れた位置を始点とし、始点からの入力手段の移動方向及び移動量に応じて、始点を含む領域に割り当てられている選択候補を表示装置に表示させて所望の情報を入力できるため、操作スペースの限られたリモコンなどの操作入力装置であっても、効率的に入力操作を行うことができる。
【発明を実施するための最良の形態】
【００２７】
図１は、本発明の一実施形態に係る情報入力システムの構成例を示すブロック図で、図中、１は入力手段、１０は操作入力装置（以下、リモコンという）、２０はリモコン１０から情報が入力される表示装置を示す。リモコン１０は、複数の領域に分割され且つ各領域に選択候補となる文字情報などの情報が割り当てられたタッチパッド１１と、タッチパッド１１を制御するタッチパッドコントローラ１２と、タッチパッド１１からの操作入力信号を赤外線や無線を介して表示装置２０に対して送信する送信手段１３と、を備える。
【００２８】
タッチパッドコントローラ１２は、タッチパッド１１上で入力手段１が触れた位置を始点として認識する始点認識手段１２ａと、認識した始点からの入力手段１の移動方向及び移動量を検出する移動方向／移動量検出手段１２ｂと、入力手段１がタッチパッド１１から離れたときの位置を終点として検出する終点検出手段１２ｃと、を備える。このように、タッチパッド１１は、入力手段１によりタッチされた領域を認識する機能と、続いて行うスライド操作の方向と移動量を検出する機能と、入力手段１が離れた位置を検出する機能とを備える。また、タッチパッド１１の入力方式としては、抵抗膜式、静電式など公知の方式を用いることができる。
【００２９】
なお、タッチパッド１１へ入力するための入力手段１としては、操作者の指による指入力や、スタイラスペンなどによるペン入力などを用いることができる。以下の説明では、入力手段として、指入力（以下、しばしば指１という）を代表例として説明する。
【００３０】
表示装置２０は、リモコン１０から送信されてくる操作入力信号を受信する受信手段２１と、移動方向／移動量検出手段１２ｂにより検出される指１の移動方向及び移動量に応じて、始点認識手段１２ａにより認識された始点を含む領域に割り当てられている選択候補を変化させて画面に表示する表示制御手段２２と、リモコン１０からの操作入力信号に対応付けて文字（漢字、ひらがな、カタカナなど）や英数字などの辞書情報を蓄積した辞書ＤＢ２３と、リモコン１０からの操作入力信号に対応付けてチャンネル情報などを記憶したメモリ２４と、ＬＣＤ（液晶ディスプレイ：Ｌｉｑｕｉｄ  Ｃｒｙｓｔａｌ  Ｄｉｓｐｌａｙ）などの表示手段２５と、終点検出手段１２ｃにより終点が検出されたときに画面上で選択状態にある選択候補の入力を確定する入力確定手段２６と、を備える。
【００３１】
また、表示装置２０は、テレビジョン放送を受信するためのテレビチューナ機能、ＦＭ放送やＡＭ放送などのラジオ放送を受信するためのラジオチューナ機能、楽曲データを再生するための音楽プレーヤ機能など、いずれか複数の機能を備える構成としてもよく、また、上記各機能を備えるパーソナルコンピュータ（ＰＣ）であってもよい。
【００３２】
図２は、本発明の他の実施形態に係る情報入力システムの構成例を示す図で、図中、３０は記録再生装置（レコーダなど）やＰＣ本体等の外部機器を示す。本実施形態では、外部機器３０と表示装置２０が接続され、リモコン１０からの操作入力信号は、外部機器３０で受信され、外部機器３０から表示装置２０に送られる。このように、表示装置２０が備える受信手段２１、表示制御手段２２、辞書ＤＢ２３、メモリ２４、及び入力確定手段２６を外部機器３０に備える構成としてもよい。また、外部機器３０は、上述したテレビチューナ機能、ラジオチューナ機能、音楽プレーヤ機能などの機能を備えるようにしてもよい。
【００３３】
図３は、リモコン１０が備えるタッチパッド１１及び表示装置２０の要部構成例を示す図である。タッチパッド１１は、数字の「１」及び「あ行」などが割り当てられた領域１１１、数字の「２」及び「か行」などが割り当てられた領域１１２、数字の「３」及び「さ行」などが割り当てられた領域１１３、数字の「４」及び「た行」などが割り当てられた領域１１４、数字の「５」及び「な行」などが割り当てられた領域１１５、数字の「６」及び「は行」が割り当てられた領域１１６、数字の「７」及び「ま行」が割り当てられた領域１１７、数字の「８」及び「や行」などが割り当てられた領域１１８、数字の「９」及び「ら行」などが割り当てられた領域１１９、数字の「０」及び「わ行」などが割り当てられた領域１２０、を備える。なお、上記領域１１１〜１２０には、ひらがな、カタカナ、アルファベット（大文字，小文字含む）、数字、記号、それぞれの全角文字、半角文字などの複数の文字種を選択的に割り当てることが可能である。
【００３４】
図３において、操作者は、所望の文字が割り当てられているタッチパッド１１の領域に指１をタッチする。続いて、これを「始点」として指１をスライド（図中下向きにスライド）することによって、その移動方向及び移動量に応じて割り当てられている文字の選択候補が順に変化して表示装置２０の画面に表示される。操作者は、所望の文字が選択候補として表示された時点でそれを「終点」として指１のタッチを開放する。これによって文字の選択が確定する。
【００３５】
なお、始点確定後に、指１をスライドする操作に入った段階では、指１をスライドさせる方向と移動量によって操作が行われるのであって、タッチパッド１１の他の領域に指１が移動してもそこに割り当てられた文字は操作に影響しない。
【００３６】
また、上記操作において、文字の選択候補を順に表示させているときに、所望の文字候補を飛び越えて指１をスライドさせてしまった場合でも、そのまま反対方向に指１をスライドさせて所望の文字候補まで戻して選択できるようにしてもよい。
【００３７】
以下、図４乃至図１３に基づいて、リモコン１０から表示装置２０に文字情報やチャンネル情報などの各種情報を入力する際の具体的な実施形態について説明する。
【００３８】
（第１の実施形態）
図４は、本発明の第１の実施形態に係るタッチパッド１１から表示装置２０への情報入力処理の一例を示す図で、図中、１０１は指１の「始点」、１０２は指１の移動方向及び移動量、２０１は最初に選択候補として表示される文字（図中の「さ」）、２０２は領域（ここでは領域１１３）に割り当てられている文字候補、２０３はカーソルが当たって選択状態にある文字（図中白抜きされた「せ」）を示す。なお、表示装置２０における矢印は、カーソルの移動方向を示す。また、選択状態にある文字２０３とは、指１の移動方向及び移動量１０２に応じて、カーソルが操作され、カーソルが当たっている状態の文字をいう。
【００３９】
操作者は、例えば、「せ」という文字を選択したい場合、これが割り当てられている領域１１３に指１をタッチし（始点１０１）、始点１０１からそのまま手前（図中下向き）にスライドさせる（指１の移動方向及び移動量１０２）。表示装置２０には、領域１１３に割り当てられている文字候補２０２が「さ」→「し」→「す」→「せ」→「そ」→  のように順に選択候補として表示される。操作者は、所望の「せ」が選択候補として表示された時点（カーソルが当たって選択状態になった時点）で指１をスライドさせるのをやめて、タッチを開放することで選択が確定する。
【００４０】
このとき、例えば、指１を所望の「せ」をこえてスライドさせてしまい、その下の「そ」にカーソルが当たって表示された場合には、タッチパッド１１上で指１をそのまま反対方向にスライドさせて戻すように操作し、「せ」に再度カーソルを当てて選択することができるようにしてもよい。
【００４１】
また、表示装置２０において、各領域に割り当てられている文字の候補を表示させる際に、指１の移動方向及び移動量１０２に応じて、選択状態にある候補だけを１つずつ順番に表示させる、あるいは、選択状態にある候補の前後の候補を含めた複数の選択候補をリスト化して表示させるようにしてもよい。図４においては、後者のリスト表示した例について示しているが、この場合、指１の移動方向及び移動量１０２に応じて、文字候補２０２のいずれかの文字にカーソルを当てて識別可能に表示する。ここでは、「せ」にカーソルが当たっている状態を示す。
【００４２】
（第２の実施形態）
図５は、本発明の第２の実施形態に係るタッチパッド１１から表示装置２０への情報入力処理の一例を示す図で、図中、１０１は指１の「始点」、１０２は指１の移動方向及び移動量、２０１は最初に選択候補として表示される文字（図中の「ろ」）、２０２は領域（ここでは領域１１９）に割り当てられている文字候補、２０３はカーソルが当たって選択状態にある文字（図中白抜きされた「り」）を示す。本実施形態の情報入力システムは、選択候補リストを表示装置２０に表示する際に、タッチパッド１１に設けられた各領域の配置に応じて、選択候補の表示順序を変化させるように構成される。
【００４３】
例えば、前述の図４に示したように、タッチパッド１１の上側に配置された「さ行」が割り当てられた領域１１３を操作する場合は、最初に「さ」が選択候補として表示され、その下側に「し」，「す」，「せ」，「そ」と順に表示され、指１を図の下側に向けてスライドすることによって目的の文字を選択する。
【００４４】
また、例えば、図５に示すように、タッチパッド１１の下側に配置された「ら行」が割り当てられた領域１１９を操作する場合は、最初に「ろ」が選択候補として表示され、その上側に順に「れ」，「る」，「り」，「ら」と順に表示され、指１を図の上側に向けてスライドすることによって目的の文字を選択する。
【００４５】
また、例えば、タッチパッド１１の略中段に配置された「は行」が割り当てられた領域１１６を操作する場合は、最初に「ふ」が選択候補として表示され、その上側に順に「ひ」，「は」と順に表示され、その下側に順に「へ」，「ほ」と順に表示され、目的の文字のある方向に向けて指１をスライドさせて文字を選択する。これによって、タッチパッド１１に設定された領域の配置にかかわらず、指１をスライドさせるスペースを確保することができる。
【００４６】
なお、タッチパッド１１の各領域に対して、指１を同じ方向にスライドさせるためのスペースを確保しておいて、すべての領域で同じ方向にスライド可能として、入力操作を行うようにしてもよい。
【００４７】
（第３の実施形態）
図６は、本発明の第３の実施形態に係るタッチパッド１１から表示装置２０への情報入力処理の一例を示す図で、図中、１０１は指１の「始点」、１０２は指１の移動方向及び移動量、１２１は「かな漢字変換」を行うための領域、２０４は領域（ここでは領域１２１）に割り当てられている変換候補、２０５はカーソルが当たって選択状態にある変換文字（図中白抜きされた「先生」）を示す。本実施形態の情報入力システムは、文字選択だけでなく、「かな漢字変換」の操作を行う際に、変換候補２０４から所望の変換文字を選択できるように構成される。
【００４８】
ここでは、タッチパッド１１に「かな漢字変換」を行うための領域１２１が設けられており、操作者の指１が領域１２１にタッチすると、表示装置２０に入力文字の変換候補が表示される。本例では、「せ」，「ん」，「せ」，「い」の４文字が既に入力されており、これらの入力文字に対応する変換候補が、１つずつ順にあるいは複数リスト化されて表示される。操作者は、所望の変換候補にカーソルが当たって選択状態になった時点で指１をスライドさせるのをやめて、タッチを開放することで選択が確定する。
【００４９】
（第４の実施形態）
本実施形態の情報入力システムは、表示装置２０が音楽プレーヤ機能を備える場合に、登録された曲名，アーティスト名，アルバム名などのリストから所望の項目を選択できるように構成される。また、表示装置２０が電子メール機能などを備える場合、アドレス帳の名前や住所などのリストから所望の項目を選択できるようにしてもよい。この場合、タッチパッド１１の各領域に割り当てられた文字（「あ行」〜）と、画面に表示させるリストの項目とを関連付けて登録しておく方法が考えられる。
【００５０】
例えば、表示装置２０に都道府県名を選択する文字枠が表示され、この文字枠への入力文字を選ぶためのリストを表示させる場合について想定する。このとき、操作者がタッチパッド１１の「た行」が割り当てられた領域１１４にタッチすると、表示装置２０は、「た行」に関連する「千葉県」，「東京都」，「徳島県」，「栃木県」，「鳥取県」，「富山県」のような項目をリスト化して表示する。操作者は、所望の候補にカーソルが当たって選択状態になった時点で指１をスライドさせるのをやめて、タッチを開放することで選択が確定する。
【００５１】
また、本発明の情報入力システムは、表示装置２０に多数の機能設定項目があるような場合にも適用することができる。この場合、機能グループ毎にタッチパッド１１の領域を割り当てておく。操作者がタッチパッド１１の所望の領域にタッチすると、表示装置２０は、タッチされた領域に対応する機能設定項目を機能グループ毎にリスト化して表示する。さらに、操作者は、所望の候補にカーソルが当たって選択状態になった時点で指１をスライドさせるのをやめて、タッチを開放することで選択が確定する。
【００５２】
（第５の実施形態）
図７は、本発明の第５の実施形態に係るタッチパッド１１から表示装置２０への情報入力処理の一例を示す図で、図中、１０１は指１の「始点」、１０２は指１の移動方向及び移動量、１２２はＡＭ放送を選局するための領域，１２３はＦＭ放送を選局するための領域、１２４はＴＶ放送を選局するための領域、２０６は領域（ここでは領域１２３）に割り当てられている放送局候補、２０７はカーソルが当たって選択状態にある放送局（図中白抜きされた「ＦＭ千葉」）を示す。
【００５３】
本実施形態の情報入力システムは、表示装置２０がラジオチューナ機能やテレビチューナ機能を備える。この場合、ＦＭ放送，ＡＭ放送，短波放送，デジタルラジオ放送，地上波放送，ＢＳ放送，地上波デジタル放送，ＢＳデジタル放送，ＣＳ放送、ＣＡＴＶのような放送のタイプ毎にタッチパッド１１の領域を割り当てておく。
【００５４】
タッチパッド１１に放送のタイプを選択するための領域１２２〜１２４が設けられており、例えば、操作者の指１が領域１２３にタッチすると、表示装置２０に受信可能なＦＭ放送局の候補が表示される。本例では、「ＦＭ千葉」，「ＦＭマクハリ」，「関東ＦＭ」，「ＦＭ８８８」，「ＦＭバレー」の５つの候補が、１つずつ順にあるいは全候補リスト化されて表示される。操作者は、所望の放送局候補にカーソルが当たって選択状態になった時点で指１をスライドさせるのをやめて、タッチを開放することで選択が確定する。
【００５５】
（第６の実施形態）
図８は、本発明の第６の実施形態に係るタッチパッド１１から表示装置２０への情報入力処理の一例を示す図で、図中、１０１は指１の「始点」、１０２は指１の移動方向及び移動量、２０８は領域（ここでは領域１１２）に割り当てられているチャンネル候補、２０９はカーソルが当たって選択状態にあるチャンネル（図中白抜きされた「２０ｃｈ」）を示す。本実施形態の情報入力システムは、表示装置２０がテレビチューナ機能を備える。ここでは、同じタイプの放送でも多くのチャンネルが用意されている場合を想定し、タッチパッド１１の各領域にチャンネルを振り分けて登録しておく。
【００５６】
例えば、チャンネルの０１〜０９ｃｈは領域１２０（数字の「０」を割り当てて表示）、１０〜１９ｃｈは領域１１１（数字の「１」を割り当てて表示）、２０〜２９ｃｈは領域１１２（数字の「２」を割り当てて表示）というように、２桁のチャンネル番号の十の位に対応する数字が割り当てられている領域に、それぞれ対応するチャンネル番号を持つチャンネルを割り当てておく。これにより、一度の操作で直感的にチャンネルを選択することができる。
【００５７】
従来のテレビでは、２桁のチャンネル番号を１０個（０〜９）の数字キーで選択する場合、２つのボタンを操作しなくてはならなかった。また、従来、操作者が最初に押したキーが十の位を意図したものか、あるいは、一の位を意図したものか判別するために、すぐにチャンネルが切り替わらないようになっていたが、本発明を適用することで、チャンネル切り替えを素早く行うことが可能となる。
【００５８】
また、チャンネル番号が３桁以上の場合でも同様に適用することができる。この場合、例えば、３桁のチャンネル番号の百の位に対応する数字が割り当てられている領域に、それぞれ対応するチャンネル番号を持つチャンネルを割り当てておく。タッチパッド１１の任意の領域がタッチされたときに、その領域に割り当てられたチャンネル番号を一列あるいは複数列リスト表示し、リモコン１０から目的のチャンネルを選択できるようにしてもよい。
【００５９】
また、チャンネルの０１〜０９ｃｈを選択しようとした操作者が、領域１１１（数字の「１」）〜領域１１９（数字の「９」）をタッチしてしまうことが起こりえる。このときも領域を選びなおすことなく、所望のチャンネルが選択できるようにチャンネルの割り当てを行っておいてもよい。例えば、領域１１２には２０〜２９ｃｈに加えて２ｃｈを割り当てておき、操作者が２ｃｈを選択しようとして、領域１１２をタッチしたときでも、領域を選びなおすことなく、２ｃｈを選択することができる。
【００６０】
（第７の実施形態）
図９は、本発明の第７の実施形態に係るタッチパッド１１から表示装置２０への情報入力処理の一例を示す図で、図中、１０１は指１の「始点」、１０２は指１の移動方向及び移動量、２０２は領域（ここでは領域１１３）に割り当てられている文字候補、２０３はカーソルが当たって選択状態にある文字（図中白抜きされた「せ」）、２１０は入力取り消しを示す。本実施形態の情報入力システムは、表示装置２０が文字候補２０２をリスト表示する際に、選択可能な文字（「さ」〜「そ」）に加えて、入力取り消し２１０を追加して表示する。
【００６１】
これにより、例えば、操作者の操作間違いによって、タッチパッド１１の意図しない領域１１３から操作を開始したような場合、入力取り消し２１０にカーソルを当てて、この入力取り消し２１０を選択することにより、リモコン１０が備える取り消しボタンなどの別のボタンを操作しなくても、簡単に入力処理を取り消すことができる。
【００６２】
図１０は、本発明の第７の実施形態に係るタッチパッド１１から表示装置２０への情報入力処理の他の例を示す図である。文字候補２０２に入力取り消し２１０を設ける構成とした場合、図１０に示すように、タッチパッド１１上の始点となる領域１１３をタッチした時点で表示される選択候補として、この入力取り消し２１０が最初に選択されるように設定しておいてもよい。
【００６３】
これによって、操作者が間違って意図しない領域１１３にタッチした場合でも、そのままタッチを開放すれば何も選択が確定しないので、入力の取り消し操作のような余計な操作を発生させずにすむ。また、「タッチ」→「タッチ開放」だけではどの文字も選択確定しないことから、操作において領域に割り当てられたどの文字を選択する場合でも、「タッチ」→「スライドする」→「タッチ開放」という一連の操作を統一的に行うことができる。
【００６４】
（第８の実施形態）
図１１は、本発明の第８の実施形態に係るタッチパッド１１から表示装置２０への情報入力処理の一例を示す図で、図中、１０１は指１の「始点」、１０２は指１の移動方向及び移動量、２０２は領域（ここでは領域１１１）に割り当てられている文字候補、２０３はカーソルが当たって選択状態にある文字（図中白抜きされた「ウ」）、２１０は入力取り消し、２１１はカーソルの軌跡を示す。本実施形態の情報入力システムは、タッチパッド１１の任意の領域に多数の候補が割り当てられている場合、その候補群をマトリクス状に表示し（文字候補２０２）、スライドさせる方向を縦・横組み合わせ（指１の移動方向及び移動量１０２）、この指１の移動方向及び移動量１０２に応じてカーソルを移動させ（カーソルの軌跡２１１）、目的とする文字や、記号、絵文字などを選択できるように構成される。
【００６５】
図１２は、本発明の第８の実施形態に係るタッチパッド１１から表示装置２０への情報入力処理の他の例を示す図である。図中、１２５は記号を選択するための領域、２１２は領域１２５に割り当てられている記号候補、２１３はページ戻しボタン、２１４はページ送りボタンを示す。マトリクス状に複数の候補を表示する場合において、候補の数が多く複数のページに渡ってしまうことが考えられる。このようなケースに対応するために、表示装置２０が記号候補２１２と共に、ページ戻しボタン２１３及びページ送りボタン２１４を表示させる。ページ戻しボタン２１３及びページ送りボタン２１４は本発明のページ切替キーに相当する。
【００６６】
例えば、ページ戻しボタン２１３あるいはページ送りボタン２１４に一定時間カーソルがとどまるとページが切り替わり、新しい選択候補のページが表示される。これによって、操作者はキーを押しかえることなく、数多くの候補から文字や記号などを選択することができる。
【００６７】
ここで、タッチパッド１１の各領域には、ひらがな，カタカナのほか、アルファベットの大文字，小文字、それぞれの全角文字，半角文字、その他の言語や記号、数式記号など複数の文字種を割り当てることができる。本発明の情報入力システムによれば、タッチパッド１１と表示装置２０を連携させることにより、上記文字種の中から所望の文字を容易に選択することができる。
【００６８】
また、上記のように複数の文字種が割り当てられ、そのうちのどれかの文字種が選択候補としてリストされる場合、選択候補の文字と同様に、ある文字種から他の文字種へ切り替えるための情報（例えば、記号、文字、図柄、アイコンなど）を表示するようにしてもよい。これによって、操作者は、文字種の切り替えのために別のボタンを操作しなくても切り替え操作が可能となる。
【００６９】
また、タッチパッド１１の各領域に割り当てられた文字を表示する場合、ひらがな，カタカナのほか、アルファベットの大文字，小文字，それぞれの全角文字，半角文字，数字における表記の種類など、それぞれの状態を切り替えて表示してもよいが、これらの一部または全部を状態切り替えなしで一度に選択候補として表示させて選択できるようにしてもよい。
【００７０】
また、上記のように複数の文字種を選択候補として表示する場合、文字種ごとに表示列を変えて表示させて、縦方向のスライド操作と横方向のスライド操作の組み合わせによって、選択できるようにしてもよい。
【００７１】
また、上記のように文字種ごとに表示列を変えて表示させる場合、選択領域から１方向にスライドするだけで選択できる列に表示する文字種を、直前の文字に選択した文字種が配置されるようにして、選択できるようにしてもよい。
【００７２】
例えば、「カタカナ」という単語を構成する文字を順に選択していく場合、先頭の「カ」を選択する際に、タッチパッド１１の該当領域をタッチする。このとき表示装置２０には、ひらがなの「か行」とカタカナの「カ行」が２列で表示されるものとする。そのうち、ひらがなの「か行」は、縦方向にスライドするだけで選択できる位置に配列されており、さらに横方向へのスライド操作を加えることで、カタカナの「カ行」にカーソルが移動し、先頭の「カ」を選択する。次に、２文字目の「タ」の選択操作を行うときには、１文字目の操作を反映させて、カタカナの「タ行」が縦方向にスライドするだけで選択できる位置に配列されるようにしてもよい。
【００７３】
（第９の実施形態）
図１３は、本発明の第９の実施形態に係るタッチパッド１１から表示装置２０への情報入力処理の一例を示す図で、図中、１０１は指１の「始点」、１０２は指１の移動方向及び移動量、１２６は数字を選択するための領域、２１５はパスワードの入力枠、２１６は領域１２６に割り当てられた数字候補を示す。本実施形態の情報入力システムは、数字入力を行う際に、ひとつの領域１２６に０〜９までの数字を割り当てて、数字候補２１６から目的の数字を選択できるように構成される。
【００７４】
図１３に示す構成において、操作者は、タッチパッド１１の領域１２６を常にタッチすることで、同じ始点からのスライド操作を繰り返し行い、異なる数字を入力することができる。これにより、操作者は、手元のタッチパッド１１をいちいち確認しなくても異なる数字が容易に入力できる。例えば、図１３に示すように、操作者が、リモコン１０を用いて、表示装置２０の画面に表示された入力枠２１５を見ながら、順にパスワードなどの数字を入力していく場合、画面に視線をむけたまま複数桁の数字入力を簡単に行うことができる。この際、始点の位置がわかりやすいよう、該当する始点となる領域１２６に突起物のようなしるしを施しておいてもよい。
【００７５】
（第１０の実施形態）
図１４は、本発明の第１０の実施形態に係るタッチパッド１１及び表示装置２０の要部構成例を示す図である。本実施形態のタッチパッド１１は、「始点」や「終点」の指定をクリック操作によって行うためのクリック認識手段１４を備える。タッチパッド１１上の操作において「始点」と「終点」を指定する際、操作者の指定意図を明確に操作に反映させるため、タッチパッド１１自体にクリック機能を融合し、「始点」と「終点」の両方、もしくはどちらか片方の指定にクリック操作を適用してもよい。
【００７６】
図１５は、本発明の第１０の実施形態に係るタッチパッド１１及び表示装置２０の他の要部構成例を示す図である。本実施形態のリモコン１０は、「始点」や「終点」の指定をクリック操作によって行うためのクリックボタン１５を備える。タッチパッド１１上の操作において「始点」と「終点」を指定する際、操作者の指定意図を明確に操作に反映させるため、別途クリックボタン１５を設け、「始点」と「終点」の両方、もしくはどちらか片方の指定にクリック操作を適用してもよい。
【００７７】
また、上記のように、「始点」と「終点」の指定にクリック操作を用いた場合、単にタッチパッド１１から指１を離しただけでは選択候補が確定しない。従って、スライド操作によって目的の候補まで到達する前に、タッチパッド１１の端までスライドしきってしまった場合でも、一旦タッチパッド１１から指１を離し、再度同じようにスライド操作を繰り返すことで目的の候補までたどっていくようにしてもよい。
【００７８】
図１４に示すように、タッチパッド１１自体にクリック機能を融合し、マルチタップにより選択候補を順に呼び出す機能を並存させてもよい。これにより、従来のリモコンの操作に慣れた操作者が好みの方法で文字選択を行うことができるので、違和感なくリモコン１０を利用することができる。
【００７９】
（第１１の実施形態）
図１６は、本発明の第１１の実施形態に係るタッチパッド１１から表示装置２０への情報入力処理の一例を示す図である。本実施形態のタッチパッド１１は、その下端部に、指１のスライド操作が停止しても継続してカーソルが移動できるように設定された継続動作領域１６を備えている。この継続動作領域１６は本発明のスクロール領域に相当する。
【００８０】
本実施形態では、継続動作領域１６に指１がタッチしている間、表示装置２０の画面上で放送局候補２０６がスクロールされて表示される。放送局候補２０６の数はスクロールバー２１７によってある程度把握することができる。これにより、スライド操作で指１が継続動作領域１６まで到達してからも操作を継続することができる。なお、この継続動作領域１６は、タッチパッド１１の４つの端（上端、下端、右端、左端）全てに設けてもよいし、一部の端にだけ設けてもよい。
【００８１】
また、タッチパッド１１内に継続動作領域１６を設ける代わりに、リモコン１０に継続動作ボタン（図示しない）を設けるようにしてもよい。これにより、指１のタッチを継続したまま、継続動作ボタンを押すことによって、表示装置２０の画面上で継続してカーソルが移動可能となる。
【００８２】
また、タッチパッド１１内に継続動作領域１６を設ける場合、継続動作領域１６とその他の領域が指先で区別して認識できるように、境界部分に隆起線や突起物のような表面処理を施すようにしてもよい。
【００８３】
また、タッチパッド１１における指１のスライド操作の移動量と、表示装置２０に表示されるカーソルの移動量の割合は、操作者によってあらかじめ設定できるようにしておいてもよい。
【００８４】
（第１２の実施形態）
図１７は、本発明の第１２の実施形態に係るタッチパッド１１から表示装置２０への情報入力処理の一例を示す図である。本実施形態の表示装置２０は、図１７（Ａ）に示すように、チャンネル候補２０８の選択候補をスクロール表示させるためのスクロールボタン２１８を備えている。操作者は、タッチパッド１１を操作して、表示装置２０の画面に表示されているカーソルを下向きに移動させて、図１７（Ｂ）に示すように、スクロールボタン２１８にカーソルを停止させる。これにより、選択候補リストの表示内容がスクロールされる。また、スクロールボタン２１９にカーソルを停止させると、選択候補リストの表示内容が逆向きにスクロールされる。
【００８５】
なお、リモコン１０に組み込まれたタッチパッド１１は、タッチされた領域の認識と、続いて行うスライド操作の方向と移動量を認識できるものであって、この操作を行うための入力手段は、操作者の指で行うものであってもよいし、あるいは、指の代わりにスタイラスペンのような器具を使用するものであってもかまわない。
【００８６】
図１８は、本発明が適用される情報入力方法の一例を説明するためのフロー図である。尚、本例は、図３に示したタッチパッド１１及び表示装置２０の構成に基づいて説明するものとする。まず、タッチパッド１１は、カーソル移動指示の待機状態から（ステップＳ１）、操作者の指１が領域１１１にタッチされたかどうかを判定し（ステップＳ２）、領域１１１にタッチされたと判定した場合（ＹＥＳの場合）、タッチされた始点からの移動量が移動量「１」で停止したかどうかを判定する（ステップＳ３）。一方、上記ステップＳ２において、領域１１１にタッチされていないと判定した場合（ＮＯの場合）、別の領域のタッチ確認を行う。
【００８７】
次に、タッチパッド１１は、ステップＳ３において、移動量「１」で停止したと判定した場合（ＹＥＳの場合）、表示装置２０が選択候補文字「あ」を表示し（ステップＳ４）、指１のタッチが開放されたかどうかを判定し（ステップＳ５）、タッチが開放された場合（ＹＥＳの場合）、「あ」を入力確定し（ステップＳ６）、ステップＳ１に戻る。また、上記ステップＳ５において、タッチが開放されない場合（ＮＯの場合）、ステップＳ７に移行する。
【００８８】
次に、タッチパッド１１は、タッチされた始点からの移動量が移動量「２」で停止したかどうかを判定する（ステップＳ７）。移動量「２」で停止したと判定した場合（ＹＥＳの場合）、表示装置２０が選択候補文字「い」を表示し（ステップＳ８）、指１のタッチが開放されたかどうかを判定し（ステップＳ９）、タッチが開放された場合（ＹＥＳの場合）、「い」を入力確定し（ステップＳ１０）、ステップＳ１に戻る。また、上記ステップＳ９において、タッチが開放されない場合（ＮＯの場合）、ステップＳ１１に移行する。
【００８９】
次に、タッチパッド１１は、タッチされた始点からの移動量が移動量「３」で停止したかどうかを判定する（ステップＳ１１）。移動量「３」で停止したと判定した場合（ＹＥＳの場合）、表示装置２０が選択候補文字「う」を表示し（ステップＳ１２）、指１のタッチが開放されたかどうかを判定し（ステップＳ１３）、タッチが開放された場合（ＹＥＳの場合）、「う」を入力確定し（ステップＳ１４）、ステップＳ１に戻る。また、上記ステップＳ１３において、タッチが開放されない場合（ＮＯの場合）、ステップＳ１５に移行する。
【００９０】
次に、タッチパッド１１は、タッチされた始点からの移動量が移動量「４」で停止したかどうかを判定する（ステップＳ１５）。移動量「４」で停止したと判定した場合（ＹＥＳの場合）、表示装置２０が選択候補文字「え」を表示し（ステップＳ１６）、指１のタッチが開放されたかどうかを判定し（ステップＳ１７）、タッチが開放された場合（ＹＥＳの場合）、「え」を入力確定し（ステップＳ１８）、ステップＳ１に戻る。また、上記ステップＳ１７において、タッチが開放されない場合（ＮＯの場合）、ステップＳ１９に移行する。
【００９１】
次に、タッチパッド１１は、タッチされた始点からの移動量が移動量「５」で停止したかどうかを判定する（ステップＳ１９）。移動量「５」で停止したと判定した場合（ＹＥＳの場合）、表示装置２０が選択候補文字「お」を表示し（ステップＳ２０）、指１のタッチが開放されたかどうかを判定し（ステップＳ２１）、タッチが開放された場合（ＹＥＳの場合）、「お」を入力確定し（ステップＳ２２）、ステップＳ１に戻る。また、上記ステップＳ２１において、タッチが開放されない場合（ＮＯの場合）、ステップＳ２３に移行する。
【００９２】
次に、タッチパッド１１は、入力操作を終了したかどうかを判定し（ステップＳ２３）、入力操作が終了していない場合（ＮＯの場合）、ステップＳ２に戻り処理を繰り返す。また、上記ステップＳ２３において、入力操作が終了していない場合（ＹＥＳの場合）、そのまま終了する。
【００９３】
以上説明したように、本発明によれば、複数の領域に分割され且つ各領域に選択候補となる文字情報などの情報が割り当てられたタッチパッドを備える操作入力装置と、該操作入力装置から情報が入力される表示装置とを備えた情報入力システムにおいて、タッチパッド上で入力手段（操作者の指など）が触れた位置を始点とし、始点からの入力手段の移動方向及び移動量に応じて、始点を含む領域に割り当てられている選択候補を表示装置に表示させて所望の情報を入力できるため、操作スペースの限られたリモコンなどの操作入力装置であっても、効率的に入力操作を行うことができる。
【図面の簡単な説明】
【００９４】
【図１】本発明の一実施形態に係る情報入力システムの構成例を示すブロック図である。
【図２】本発明の他の実施形態に係る情報入力システムの構成例を示す図である。
【図３】リモコンが備えるタッチパッド及び表示装置の要部構成例を示す図である。
【図４】本発明の第１の実施形態に係るタッチパッドから表示装置への情報入力処理の一例を示す図である。
【図５】本発明の第２の実施形態に係るタッチパッドから表示装置への情報入力処理の一例を示す図である。
【図６】本発明の第３の実施形態に係るタッチパッドから表示装置への情報入力処理の一例を示す図である。
【図７】本発明の第５の実施形態に係るタッチパッドから表示装置への情報入力処理の一例を示す図である。
【図８】本発明の第６の実施形態に係るタッチパッドから表示装置への情報入力処理の一例を示す図である。
【図９】本発明の第７の実施形態に係るタッチパッドから表示装置への情報入力処理の一例を示す図である。
【図１０】本発明の第７の実施形態に係るタッチパッドから表示装置への情報入力処理の他の例を示す図である。
【図１１】本発明の第８の実施形態に係るタッチパッドから表示装置への情報入力処理の一例を示す図である。
【図１２】本発明の第８の実施形態に係るタッチパッドから表示装置への情報入力処理の他の例を示す図である。
【図１３】本発明の第９の実施形態に係るタッチパッドから表示装置への情報入力処理の一例を示す図である。
【図１４】本発明の第１０の実施形態に係るタッチパッド及び表示装置の要部構成例を示す図である。
【図１５】本発明の第１０の実施形態に係るタッチパッド及び表示装置の他の要部構成例を示す図である。
【図１６】本発明の第１１の実施形態に係るタッチパッドから表示装置への情報入力処理の一例を示す図である。
【図１７】本発明の第１２の実施形態に係るタッチパッドから表示装置への情報入力処理の一例を示す図である。
【図１８】本発明が適用される情報入力方法の一例を説明するためのフロー図である。
【符号の説明】
【００９５】
１…入力手段、１０…操作入力装置（リモコン）、１１…タッチパッド、１２…タッチパッドコントローラ、１２ａ…始点認識手段、１２ｂ…移動方向／移動量検出手段、１２ｃ…終点検出手段、１３…送信手段、１４…クリック認識手段、１５…クリックボタン、１６…継続動作領域、２０…表示装置、２１…受信手段、２２…表示制御手段、２３…辞書ＤＢ、２４…メモリ、２５…表示手段、２６…入力確定手段、３０…外部機器、１０１…指の「始点」、１０２…指の移動方向及び移動量、１１１〜１２６…領域、２０１…最初に選択候補として表示される文字、２０２…文字候補、２０３…選択状態にある文字、２０４…変換候補、２０５…選択状態にある変換文字、２０６…放送局候補、２０７…選択状態にある放送局、２０８…チャンネル候補、２０９…選択状態にあるチャンネル、２１０…入力取り消し、２１１…カーソルの軌跡、２１２…記号候補、２１３…ページ戻しボタン、２１４…ページ送りボタン、２１５…入力枠、２１６…数字候補、２１７…スクロールバー、２１８，２１９…スクロールボタン。
【図１】
2007066031.tif 000003
【図２】
2007066031.tif 000004
【図３】
2007066031.tif 000005
【図４】
2007066031.tif 000006
【図５】
2007066031.tif 000007
【図６】
2007066031.tif 000008
【図７】
2007066031.tif 000009
【図８】
2007066031.tif 000010
【図９】
2007066031.tif 000011
【図１０】
2007066031.tif 000012
【図１１】
2007066031.tif 000013
【図１２】
2007066031.tif 000014
【図１３】
2007066031.tif 000015
【図１４】
2007066031.tif 000016
【図１５】
2007066031.tif 000017
【図１６】
2007066031.tif 000018
【図１７】
2007066031.tif 000019
【図１８】
2007066031.tif 000020